【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
画像動き補償方法であって、
現在の画像ブロックの初期動きベクトルＭＶを取得することと、
前記初期ＭＶのスケーリング比率を確定し、ここで、前記初期ＭＶが特定参照画像を指向する場合、前記初期ＭＶのスケーリング比率は、１であることと、
前記初期ＭＶのスケーリング比率に基づいて、前記初期ＭＶをスケーリングすることと、
前記スケーリング後のＭＶに基づいて前記現在の画像ブロックに動き補償を行うことと、を含む画像動き補償方法。
【請求項２】
前記スケーリング後のＭＶに基づいて前記現在の画像ブロックに動き補償を行うことは、
前記スケーリング後のＭＶを修正し、修正後のＭＶを得ることと、
前記修正後のＭＶに基づいて、前記現在の画像ブロックに動き補償を行うことと、を含む請求項１に記載の方法。
【請求項３】
前記現在の画像ブロックの初期動きベクトルＭＶを取得することは、
前記現在の画像ブロックのＭＶ候補リストを取得することと、
前記ＭＶ候補リストに基づいて、前記初期ＭＶを確定することと、を含む請求項２に記載の方法。
【請求項４】
前記ＭＶ候補リストにおけるいずれかの候補ＭＶが指向する参照画像は、非特定参照画像である請求項３に記載の方法。
【請求項５】
前記現在の画像ブロックのＭＶ候補リストを取得することは、
前記ＭＶ候補リストに加えるための候補ＭＶを確定し、前記候補ＭＶが指向する参照画像が非特定参照画像である場合、前記候補ＭＶを前記ＭＶ候補リストに加えることを含む請求項４に記載の方法。
【請求項６】
前記方法は、
前記候補ＭＶが指向する参照画像のフレームマークに基づいて、前記候補ＭＶが指向する参照画像が非特定参照画像であると確定することをさらに含む請求項５に記載の方法。
【請求項７】
前記ＭＶ候補リストは、
前記現在の画像ブロックが高度動きベクトル予測ＡＭＶＰモードにある場合、非特定参照画像に対して得られたオリジナルＡＭＶＰ候補ＭＶ、
非特定参照画像に対して得られたマージ候補ＭＶ、
非特定参照画像から補間により得られたＭＶ、及び
前記現在のブロックの非特定参照画像に対する上方隣接ＭＶと左側隣接ＭＶのうちの少なくとも一つの候補ＭＶを含む請求項３〜５のいずれか一項に記載の方法。
【請求項８】
前記ＭＶ候補リストに基づいて、前記初期ＭＶを確定することは、
双方向マッチング法とテンプレートマッチング法とのうちの少なくとも一つに基づいて、前記ＭＶ候補リストにおける候補ＭＶに対応する歪みコストを確定することと、
前記ＭＶ候補リストにおける歪みコストが最も小さいＭＶを前記初期ＭＶとすることと、を含む請求項７に記載の方法。
【請求項９】
前記スケーリング後のＭＶを修正し、修正後のＭＶを得ることは、
前記現在の画像ブロックにサブＭＶ候補リストを生成し、前記サブＭＶ候補リストには前記スケーリング後のＭＶを含むことと、
前記サブＭＶ候補リストから歪みコストが最も小さいＭＶを前記修正後のＭＶとして確定することと、を含む請求項８に記載の方法。
【請求項１０】
前記初期ＭＶは、第１初期ＭＶ、及び第２初期ＭＶを含み、前記方法は、
前記第１初期ＭＶ、及び前記第２初期ＭＶのうちの少なくとも一つの初期ＭＶが指向する参照画像が特定参照画像である場合、前記第１初期ＭＶ、及び前記第２初期ＭＶのスケーリング比率をいずれも１にセットし、前記第１初期ＭＶ、及び前記第２初期ＭＶに基づいて前記現在の画像ブロックに動き補償を行うことと、
前記第１初期ＭＶ、及び前記第２初期ＭＶが指向する参照画像がいずれも非特定参照画像である場合、前記第１初期ＭＶのスケーリング比率、及び前記第２初期ＭＶのスケーリング比率を確定し、前記第１初期ＭＶのスケーリング比率に基づいて、前記第１初期ＭＶをスケーリングし、前記第２初期ＭＶのスケーリング比率に基づいて、前記第２初期ＭＶをスケーリングし、前記スケーリング後の第１初期ＭＶ、及び前記スケーリング後の第２初期ＭＶに基づいて、前記現在の画像ブロックに動き補償を行うこととのうちの少なくとも一つを含む請求項１に記載の方法。
【請求項１１】
前記スケーリング後の第１初期ＭＶ、及び前記スケーリング後の第２初期ＭＶに基づいて、前記現在の画像ブロックに動き補償を行うことは、
第１参照画像ブロック、及び第２参照画像ブロックに基づいて、テンプレートを生成し、ここで、前記第１参照画像ブロックは前記スケーリング後の第１初期ＭＶに対応し、かつ第２参照画像に属し、前記第２参照画像ブロックは前記スケーリング後の第２初期ＭＶに対応し、かつ第１参照画像に属し、前記第１参照画像は、前記第１初期ＭＶが指向する参照画像であり、前記第２参照画像は、前記第２初期ＭＶが指向する参照画像であることと、
前記テンプレートに基づいて、前記第１初期ＭＶ、及び前記第２初期ＭＶを修正し、前記修正後の第１ＭＶ、及び前記修正後の第２ＭＶを得ることと、を含む請求項１０に記載の方法。
【請求項１２】
前記テンプレートに基づいて、前記第１初期ＭＶ、及び前記第２初期ＭＶを修正し、前記修正後の第１ＭＶ、及び前記修正後の第２ＭＶを得ることは、
Ｎ個の第３参照画像ブロックを利用して、それぞれ前記テンプレートとマッチングし、ここで、前記Ｎ個の第３参照画像ブロックは、Ｎ個の第３初期ＭＶに対応し、かつ前記第１参照画像に属することと、
Ｍ個の第４参照画像ブロックを利用して、それぞれ前記テンプレートとマッチングし、ここで、前記Ｍ個の第４参照画像ブロックは、Ｍ個の第４初期ＭＶに対応し、かつ前記第２参照画像に属することと、
前記マッチング結果に基づいて、前記Ｎ個の第３初期ＭＶから一つの第３初期ＭＶを選択し、及び前記Ｍ個の第４初期ＭＶから一つの第４初期ＭＶを選択し、前記一つの第３初期ＭＶ、及び前記一つの第４初期ＭＶを前記現在の画像ブロックのＭＶとし、又は前記現在の画像ブロックのＭＶを確定することに用いることと、を含む請求項１１に記載の方法。
【請求項１３】
前記第３初期ＭＶは、前記第１初期ＭＶを含み、前記第４初期ＭＶは、前記第２初期ＭＶを含む請求項１２に記載の方法。
【請求項１４】
前記Ｎ個の第３初期ＭＶにおける少なくとも一部の初期ＭＶは、前記第１初期ＭＶに基づいて偏移して得られ、前記Ｍ個の第４初期ＭＶにおける少なくとも一部の初期ＭＶは、前記第２初期ＭＶに基づいて偏移して得られたものである請求項１２に記載の方法。
【請求項１５】
前記Ｎは、前記Ｍに等しい請求項１２又は１３に記載の方法。
【請求項１６】
前記第１参照画像は、前記現在の画像ブロックの前方向フレームであり、前記第２参照画像は、前記現在の画像ブロックの後方向フレームであり、又は、
前記第１参照画像は、前記現在の画像ブロックの前方向フレームであり、前記第２参照画像は、前記現在の画像ブロックの前方向フレームである請求項１１〜１４のいずれか一項に記載の方法。
【請求項１７】
前記特定参照画像は、長期参照画像、合成フレーム、出力されないフレームのうちの少なくとも一つを含む請求項１〜１６のいずれか一項に記載の方法。
【請求項１８】
前記方法は、
参照画像が出力されないフレームであると確定し、かつ前記参照画像が合成フレームであるとさらに確定する場合、前記参照画像を前記特定参照画像であると確定することをさらに含む請求項１〜１７のいずれか一項に記載の方法。
【請求項１９】
非特定参照画像は、短期参照画像を含む請求項１〜１８のいずれか一項に記載の方法。
【請求項２０】
画像動き補償装置であって、
コンピュータで実行可能なコマンドを記憶するための少なくとも一つのメモリと、
前記少なくとも一つのメモリにアクセスし、かつ前記コンピュータで実行可能なコマンドを実行することで、以下の操作を実施することに単独、又は共同で用いられる少なくとも一つのプロセッサと、を含み、前記操作は、
現在の画像ブロックの初期動きベクトルＭＶを取得することと、
前記初期ＭＶのスケーリング比率を確定し、ここで、前記初期ＭＶが特定参照画像を指向する場合、前記初期ＭＶのスケーリング比率は、１であることと、
前記初期ＭＶのスケーリング比率に基づいて、前記初期ＭＶをスケーリングすることと、
前記スケーリング後のＭＶに基づいて前記現在の画像ブロックに動き補償を行うことと、である装置。
【請求項２１】
請求項２０に記載の画像動き補償装置を含む符号化デバイス。
【請求項２２】
請求項２０に記載の画像動き補償装置を含む復号化デバイス。
【手続補正２】
【補正対象書類名】明細書
【補正対象項目名】発明の名称
【補正方法】変更
【補正の内容】
【発明の名称】画像動き補償装置、画像動き補償装置、符号化デバイス、及び復号化デバイス
【手続補正３】
【補正対象書類名】明細書
【補正対象項目名】０２４３
【補正方法】変更
【補正の内容】
【０２４３】
以上に述べたのは、本出願の具体的な実施形態に過ぎないが、本出願の保護範囲は、これに限定されるわけではなく、当分野を熟知する当業者はいずれも本出願により開示される技術範囲内において、変更又は置換を容易に想到でき、いずれも本出願の保護範囲内に含まれるものとする。従って、本出願の保護範囲は、記載された特許請求の範囲の保護範囲に準じるものとする。
（項目１）
画像動き補償方法であって、
現在の画像ブロックの初期動きベクトルＭＶを取得することと、
上記初期ＭＶが指向する参照画像が特定参照画像である場合、上記初期ＭＶに基づいて上記現在の画像ブロックに動き補償を行うことと、
上記初期ＭＶが指向する参照画像が非特定参照画像である場合、上記初期ＭＶを修正し、修正後のＭＶを得て、上記修正後のＭＶに基づいて上記現在の画像ブロックに動き補償を行うことと、を含む画像動き補償方法。
（項目２）
上記初期ＭＶが指向する参照画像が非特定参照画像である場合、上記初期ＭＶを修正し、修正後のＭＶを得て、上記修正後のＭＶに基づいて上記現在の画像ブロックに動き補償を行うことは、
上記現在の画像ブロックのＭＶ候補リストを取得し、上記ＭＶ候補リストにおけるいずれかの候補ＭＶが指向する参照画像が非特定参照画像であることと、
上記ＭＶ候補リストに基づいて、上記初期ＭＶを確定することと、
上記初期ＭＶを修正し、修正後のＭＶを得ることと、
上記修正後のＭＶに基づいて、上記現在の画像ブロックに動き補償を行うことと、を含む項目１に記載の方法。
（項目３）
上記現在の画像ブロックのＭＶ候補リストを取得することは、
上記ＭＶ候補リストに加えるための候補ＭＶを確定し、上記候補ＭＶが指向する参照画像が非特定参照画像である場合、上記候補ＭＶを上記ＭＶ候補リストに加えることを含む項目２に記載の方法。
（項目４）
上記方法は、
上記候補ＭＶが指向する参照画像のフレームマークに基づいて、上記候補ＭＶが指向する参照画像が非特定参照画像であると確定することをさらに含む項目３に記載の方法。
（項目５）
上記ＭＶ候補リストは、
上記現在の画像ブロックが高度動きベクトル予測ＡＭＶＰモードにある場合、非特定参照画像に対して得られたオリジナルＡＭＶＰ候補ＭＶ、
非特定参照画像に対して得られたマージ候補ＭＶ、
非特定参照画像から補間により得られたＭＶ、及び
上記現在のブロックの非特定参照画像に対する上方隣接ＭＶと左側隣接ＭＶのうちの少なくとも一つの候補ＭＶを含む項目２〜４のいずれか一項に記載の方法。
（項目６）
上記ＭＶ候補リストに基づいて、上記初期ＭＶを確定することは、
双方向マッチング法とテンプレートマッチング法とのうちの少なくとも一つに基づいて、上記ＭＶ候補リストにおける候補ＭＶに対応する歪みコストを確定することと、
上記ＭＶ候補リストにおける歪みコストが最も小さいＭＶを上記初期ＭＶとすることと、を含む項目５に記載の方法。
（項目７）
上記初期ＭＶを修正し、修正後のＭＶを得ることは、
上記現在の画像ブロックにサブＭＶ候補リストを生成し、上記サブＭＶ候補リストには上記初期ＭＶを含むことと、
上記サブＭＶ候補リストから歪みコストが最も小さいＭＶを上記修正後のＭＶとして確定することと、を含む項目６に記載の方法。
（項目８）
上記初期ＭＶは、第１初期ＭＶ、及び第２初期ＭＶを含み、
上記初期ＭＶが指向する参照画像が特定参照画像である場合、上記初期ＭＶに基づいて上記現在の画像ブロックに動き補償を行うことは、
上記第１初期ＭＶ、及び上記第２初期ＭＶのうちの少なくとも一つの初期ＭＶが指向する参照画像が特定参照画像である場合、上記第１初期ＭＶ、及び上記第２初期ＭＶに基づいて上記現在の画像ブロックに動き補償を行うことと、
上記第１初期ＭＶ、及び上記第２初期ＭＶが指向する参照画像がいずれも非特定参照画像である場合、上記第１初期ＭＶ、及び上記第２初期ＭＶを修正し、修正後の第１ＭＶ、及び修正後の第２ＭＶを得て、上記修正後の第１ＭＶ、及び上記修正後の第２ＭＶに基づいて上記現在の画像ブロックに動き補償を行うことと、を含む項目１に記載の方法。
（項目９）
上記第１初期ＭＶ、及び上記第２初期ＭＶを修正し、修正後の第１ＭＶ、及び修正後の第２ＭＶを得ることは、
第１参照画像ブロック、及び第２参照画像ブロックに基づいて、テンプレートを生成し、ここで、上記第１参照画像ブロックは、上記第１初期ＭＶに対応し、かつ第１参照画像に属し、上記第２参照画像ブロックは、上記第２初期ＭＶに対応し、かつ第２参照画像に属することと、
上記テンプレートに基づいて、上記第１初期ＭＶ、及び上記第２初期ＭＶを修正し、上記修正後の第１ＭＶ、及び上記修正後の第２ＭＶを得ることと、を含む項目８に記載の方法。
（項目１０）
上記テンプレートに基づいて、上記第１初期ＭＶ、及び上記第２初期ＭＶを修正し、上記修正後の第１ＭＶ、及び上記修正後の第２ＭＶを得ることは、
Ｎ個の第３参照画像ブロックを利用して、それぞれ上記テンプレートとマッチングし、ここで、上記Ｎ個の第３参照画像ブロックは、Ｎ個の第３初期ＭＶに対応し、かつ上記第１参照画像に属することと、
Ｍ個の第４参照画像ブロックを利用して、それぞれ上記テンプレートとマッチングし、ここで、上記Ｍ個の第４参照画像ブロックは、Ｍ個の第４初期ＭＶに対応し、かつ上記第２参照画像に属することと、
上記マッチング結果に基づいて、上記Ｎ個の第３初期ＭＶから一つの第３初期ＭＶを選択し、及び上記Ｍ個の第４初期ＭＶから一つの第４初期ＭＶを選択し、上記一つの第３初期ＭＶ、及び上記一つの第４初期ＭＶを上記現在の画像ブロックのＭＶとし、又は上記現在の画像ブロックのＭＶを確定することに用いることと、を含む項目９に記載の方法。
（項目１１）
上記第３初期ＭＶは、上記第１初期ＭＶを含み、上記第４初期ＭＶは、上記第２初期ＭＶを含む項目１０に記載の方法。
（項目１２）
上記Ｎ個の第３初期ＭＶにおける少なくとも一部の初期ＭＶは、上記第１初期ＭＶに基づいて偏移して得られ、上記Ｍ個の第４初期ＭＶにおける少なくとも一部の初期ＭＶは、上記第２初期ＭＶに基づいて偏移して得られたものである項目１０又は１１に記載の方法。
（項目１３）
上記Ｎは、上記Ｍに等しい項目１０〜１２のいずれか一項に記載の方法。
（項目１４）
上記第１参照画像は、上記現在の画像ブロックの前方向フレームであり、上記第２参照画像は、上記現在の画像ブロックの後方向フレームであり、又は、
上記第１参照画像は、上記現在の画像ブロックの前方向フレームであり、上記第２参照画像は、上記現在の画像ブロックの前方向フレームである項目１０〜１３のいずれか一項に記載の方法。
（項目１５）
上記特定参照画像は、長期参照画像、合成フレーム、出力されないフレームのうちの少なくとも一つを含む項目１〜１４のいずれか一項に記載の方法。
（項目１６）
上記方法は、
上記参照画像が出力されないフレームであると確定し、上記参照画像が合成フレームであると確定する場合、上記参照画像を上記特定参照画像であると確定することをさらに含む項目１〜１５のいずれか一項に記載の方法。
（項目１７）
上記非特定参照画像は、短期参照画像を含む項目１〜１６のいずれか一項に記載の方法。
（項目１８）
画像動き補償装置であって、
コンピュータで実行可能なコマンドを記憶するための少なくとも一つのメモリと、
上記少なくとも一つのメモリにアクセスし、かつ上記コンピュータで実行可能なコマンドを実行することで、以下の操作を実施することに単独、又は共同で用いられる少なくとも一つのプロセッサと、を含み、上記操作は、
現在の画像ブロックの初期動きベクトルＭＶを取得することと、
上記初期ＭＶが指向する参照画像が特定参照画像である場合、上記初期ＭＶに基づいて上記現在の画像ブロックに動き補償を行うことと、
上記初期ＭＶが指向する参照画像が非特定参照画像である場合、上記初期ＭＶを修正し、修正後のＭＶを得て、上記修正後のＭＶに基づいて上記現在の画像ブロックに動き補償を行うことと、である画像動き補償装置。
（項目１９）
上記プロセッサは、具体的に、
上記現在の画像ブロックのＭＶ候補リストを取得し、上記ＭＶ候補リストにおけるいずれかの候補ＭＶが指向する参照画像が非特定参照画像であり、
上記ＭＶ候補リストに基づいて、上記初期ＭＶを確定し、
上記初期ＭＶを修正し、修正後のＭＶを得て、
上記修正後のＭＶに基づいて、上記現在の画像ブロックに動き補償を行うためのものである項目１８に記載の画像動き補償装置。
（項目２０）
上記プロセッサは、さらに、
上記ＭＶ候補リストに加えるための候補ＭＶを確定し、上記候補ＭＶが指向する参照画像が非特定参照画像である場合、上記候補ＭＶを上記ＭＶ候補リストに加えるためのものである項目１９に記載の画像動き補償装置。
（項目２１）
上記プロセッサは、さらに、
上記候補ＭＶが指向する参照画像のフレームマークに基づいて、上記候補ＭＶが指向する参照画像が非特定参照画像であると確定するためのものである項目１８〜２０のいずれか一項に記載の画像動き補償装置。
（項目２２）
上記ＭＶ候補リストは、
上記現在の画像ブロックが高度動きベクトル予測ＡＭＶＰモードにある場合、非特定参照画像に対して得られたオリジナルＡＭＶＰ候補ＭＶ、
非特定参照画像に対して得られたマージ候補ＭＶ、
非特定参照画像から補間により得られたＭＶ、及び
上記現在のブロックの非特定参照画像に対する上方隣接ＭＶと左側隣接ＭＶのうちの少なくとも一つの候補ＭＶを含む項目２１に記載の画像動き補償装置。
（項目２３）
上記プロセッサは、具体的に、
双方向マッチング法とテンプレートマッチング法とのうちの少なくとも一つに基づいて、上記ＭＶ候補リストにおける候補ＭＶに対応する歪みコストを確定し、
上記ＭＶ候補リストにおける歪みコストが最も小さいＭＶを上記初期ＭＶとするためのものである項目２２に記載の画像動き補償装置。
（項目２４）
上記プロセッサは、具体的に、
上記現在の画像ブロックにサブＭＶ候補リストを生成し、上記サブＭＶ候補リストには上記初期ＭＶを含み、
上記サブＭＶ候補リストから歪みコストが最も小さいＭＶを上記修正後のＭＶとして確定するためのものである項目１８〜２０のいずれか一項に記載の画像動き補償装置。
（項目２５）
上記初期ＭＶは、第１初期ＭＶ、及び第２初期ＭＶを含み、
上記プロセッサは、具体的に、
上記第１初期ＭＶ、及び上記第２初期ＭＶのうちの少なくとも一つの初期ＭＶが指向する参照画像が特定参照画像である場合、上記第１初期ＭＶ、及び上記第２初期ＭＶに基づいて上記現在の画像ブロックに動き補償を行い、
上記第１初期ＭＶ、及び上記第２初期ＭＶが指向する参照画像がいずれも非特定参照画像である場合、上記第１初期ＭＶ、及び上記第２初期ＭＶを修正し、修正後の第１ＭＶ、及び修正後の第２ＭＶを得て、上記修正後の第１ＭＶ、及び上記修正後の第２ＭＶに基づいて上記現在の画像ブロックに動き補償を行うためのものである項目１８に記載の画像動き補償装置。
（項目２６）
上記プロセッサは、具体的に、
第１参照画像ブロック、及び第２参照画像ブロックに基づいて、テンプレートを生成し、ここで、上記第１参照画像ブロックは、上記第１初期ＭＶに対応し、かつ第１参照画像に属し、上記第２参照画像ブロックは、上記第２初期ＭＶに対応し、かつ第２参照画像に属し、
上記テンプレートに基づいて、上記第１初期ＭＶ、及び上記第２初期ＭＶを修正し、上記修正後の第１ＭＶ、及び上記修正後の第２ＭＶを得るためのものである項目２５に記載の画像動き補償装置。
（項目２７）
上記プロセッサは、具体的に、
Ｎ個の第３参照画像ブロックを利用して、それぞれ上記テンプレートとマッチングし、ここで、上記Ｎ個の第３参照画像ブロックは、Ｎ個の第３初期ＭＶに対応し、かつ上記第１参照画像に属し、
Ｍ個の第４参照画像ブロックを利用して、それぞれ上記テンプレートとマッチングし、ここで、上記Ｍ個の第４参照画像ブロックは、Ｍ個の第４初期ＭＶに対応し、かつ上記第２参照画像に属し、
上記マッチング結果に基づいて、上記Ｎ個の第３初期ＭＶから一つの第３初期ＭＶを選択し、及び上記Ｍ個の第４初期ＭＶから一つの第４初期ＭＶを選択し、上記一つの第３初期ＭＶ、及び上記一つの第４初期ＭＶを上記現在の画像ブロックのＭＶとし、又は上記現在の画像ブロックのＭＶを確定することに用いるためのものである項目２６に記載の画像動き補償装置。
（項目２８）
上記第３初期ＭＶは、上記第１初期ＭＶを含み、上記第４初期ＭＶは、上記第２初期ＭＶを含む項目２７に記載の画像動き補償装置。
（項目２９）
上記Ｎ個の第３初期ＭＶにおける少なくとも一部の初期ＭＶは、上記第１初期ＭＶに基づいて偏移して得られ、上記Ｍ個の第４初期ＭＶにおける少なくとも一部の初期ＭＶは、上記第２初期ＭＶに基づいて偏移して得られたものである項目２７又は２８に記載の画像動き補償装置。
（項目３０）
上記Ｎは、上記Ｍに等しい項目２７〜２９のいずれか一項に記載の画像動き補償装置。
（項目３１）
上記第１参照画像は、上記現在の画像ブロックの前方向フレームであり、上記第２参照画像は、上記現在の画像ブロックの後方向フレームであり、又は、
上記第１参照画像は、上記現在の画像ブロックの前方向フレームであり、上記第２参照画像は、上記現在の画像ブロックの前方向フレームである項目２７〜３０のいずれか一項に記載の画像動き補償装置。
（項目３２）
上記特定参照画像は、長期参照画像、合成フレーム、出力されないフレームのうちの少なくとも一つを含む項目１８〜３１のいずれか一項に記載の画像動き補償装置。
（項目３３）
上記プロセッサは、さらに、
上記参照画像が出力されないフレームであると確定し、かつ上記参照画像が合成フレームであるとさらに確定する場合、上記参照画像を上記特定参照画像であると確定するためのものである項目１８〜３２のいずれか一項に記載の画像動き補償装置。
（項目３４）
上記非特定参照画像は、短期参照画像を含む項目１８〜３３のいずれか一項に記載の画像動き補償装置。
（項目３５）
コンピュータで読み取り可能な記憶媒体であって、
これにはコマンドが記憶され、コマンドがコンピュータで運用される場合、コンピュータに項目１〜１７のいずれか一項に記載の画像動き補償方法を実行させるコンピュータで読み取り可能な記憶媒体。
（項目３６）
項目１８〜３４のいずれか一項に記載の画像動き補償装置を含む符号化デバイス。
（項目３７）
項目１８〜３４のいずれか一項に記載の画像動き補償装置を含む復号化デバイス。
（項目３８）
画像動き補償方法であって、
現在の画像ブロックの初期動きベクトルＭＶを取得することと、
上記初期ＭＶのスケーリング比率を確定し、ここで、上記初期ＭＶが特定参照画像を指向する場合、上記初期ＭＶのスケーリング比率は、１であることと、
上記初期ＭＶのスケーリング比率に基づいて、上記初期ＭＶをスケーリングすることと、
上記スケーリング後のＭＶに基づいて上記現在の画像ブロックに動き補償を行うことと、を含む画像動き補償方法。
（項目３９）
上記スケーリング後のＭＶに基づいて上記現在の画像ブロックに動き補償を行うことは、
上記スケーリング後のＭＶを修正し、修正後のＭＶを得ることと、
上記修正後のＭＶに基づいて、上記現在の画像ブロックに動き補償を行うことと、を含む項目３８に記載の方法。
（項目４０）
上記現在の画像ブロックの初期動きベクトルＭＶを取得することは、
上記現在の画像ブロックのＭＶ候補リストを取得することと、
上記ＭＶ候補リストに基づいて、上記初期ＭＶを確定することと、を含む項目３８又は３９に記載の方法。
（項目４１）
上記ＭＶ候補リストにおけるいずれかの候補ＭＶが指向する参照画像は、非特定参照画像である項目４０に記載の方法。
（項目４２）
上記現在の画像ブロックのＭＶ候補リストを取得することは、
上記ＭＶ候補リストに加えるための候補ＭＶを確定し、上記候補ＭＶが指向する参照画像が非特定参照画像である場合、上記候補ＭＶを上記ＭＶ候補リストに加えることを含む項目４１に記載の方法。
（項目４３）
上記方法は、
上記候補ＭＶが指向する参照画像のフレームマークに基づいて、上記候補ＭＶが指向する参照画像が非特定参照画像であると確定することをさらに含む項目４２に記載の方法。
（項目４４）
上記ＭＶ候補リストは、
上記現在の画像ブロックが高度動きベクトル予測ＡＭＶＰモードにある場合、非特定参照画像に対して得られたオリジナルＡＭＶＰ候補ＭＶ、
非特定参照画像に対して得られたマージ候補ＭＶ、
非特定参照画像から補間により得られたＭＶ、及び
上記現在のブロックの非特定参照画像に対する上方隣接ＭＶと左側隣接ＭＶのうちの少なくとも一つの候補ＭＶを含む項目４０〜４３のいずれか一項に記載の方法。
（項目４５）
上記ＭＶ候補リストに基づいて、上記初期ＭＶを確定することは、
双方向マッチング法とテンプレートマッチング法とのうちの少なくとも一つに基づいて、上記ＭＶ候補リストにおける候補ＭＶに対応する歪みコストを確定することと、
上記ＭＶ候補リストにおける歪みコストが最も小さいＭＶを上記初期ＭＶとすることと、を含む項目４４に記載の方法。
（項目４６）
上記スケーリング後のＭＶを修正し、修正後のＭＶを得ることは、
上記現在の画像ブロックにサブＭＶ候補リストを生成し、上記サブＭＶ候補リストには上記スケーリング後のＭＶを含むことと、
上記サブＭＶ候補リストから歪みコストが最も小さいＭＶを上記修正後のＭＶとして確定することと、を含む項目４５に記載の方法。
（項目４７）
上記初期ＭＶは、第１初期ＭＶ、及び第２初期ＭＶを含み、上記方法は、
上記第１初期ＭＶ、及び上記第２初期ＭＶのうちの少なくとも一つの初期ＭＶが指向する参照画像が特定参照画像である場合、上記第１初期ＭＶ、及び上記第２初期ＭＶのスケーリング比率をいずれも１にセットし、上記第１初期ＭＶ、及び上記第２初期ＭＶに基づいて上記現在の画像ブロックに動き補償を行うことと、
上記第１初期ＭＶ、及び上記第２初期ＭＶが指向する参照画像がいずれも非特定参照画像である場合、上記第１初期ＭＶのスケーリング比率、及び上記第２初期ＭＶのスケーリング比率を確定し、上記第１初期ＭＶのスケーリング比率に基づいて、上記第１初期ＭＶをスケーリングし、上記第２初期ＭＶのスケーリング比率に基づいて、上記第２初期ＭＶをスケーリングし、上記スケーリング後の第１初期ＭＶ、及び上記スケーリング後の第２初期ＭＶに基づいて、上記現在の画像ブロックに動き補償を行うこととのうちの少なくとも一つを含む項目３８に記載の方法。
（項目４８）
上記スケーリング後の第１初期ＭＶ、及び上記スケーリング後の第２初期ＭＶに基づいて、上記現在の画像ブロックに動き補償を行うことは、
第１参照画像ブロック、及び第２参照画像ブロックに基づいて、テンプレートを生成し、ここで、上記第１参照画像ブロックは上記スケーリング後の第１初期ＭＶに対応し、かつ第２参照画像に属し、上記第２参照画像ブロックは上記スケーリング後の第２初期ＭＶに対応し、かつ第１参照画像に属し、上記第１参照画像は、上記第１初期ＭＶが指向する参照画像であり、上記第２参照画像は、上記第２初期ＭＶが指向する参照画像であることと、
上記テンプレートに基づいて、上記第１初期ＭＶ、及び上記第２初期ＭＶを修正し、上記修正後の第１ＭＶ、及び上記修正後の第２ＭＶを得ることと、を含む項目４７に記載の方法。
（項目４９）
上記テンプレートに基づいて、上記第１初期ＭＶ、及び上記第２初期ＭＶを修正し、上記修正後の第１ＭＶ、及び上記修正後の第２ＭＶを得ることは、
Ｎ個の第３参照画像ブロックを利用して、それぞれ上記テンプレートとマッチングし、ここで、上記Ｎ個の第３参照画像ブロックは、Ｎ個の第３初期ＭＶに対応し、かつ上記第１参照画像に属することと、
Ｍ個の第４参照画像ブロックを利用して、それぞれ上記テンプレートとマッチングし、ここで、上記Ｍ個の第４参照画像ブロックは、Ｍ個の第４初期ＭＶに対応し、かつ上記第２参照画像に属することと、
上記マッチング結果に基づいて、上記Ｎ個の第３初期ＭＶから一つの第３初期ＭＶを選択し、及び上記Ｍ個の第４初期ＭＶから一つの第４初期ＭＶを選択し、上記一つの第３初期ＭＶ、及び上記一つの第４初期ＭＶを上記現在の画像ブロックのＭＶとし、又は上記現在の画像ブロックのＭＶを確定することに用いることと、を含む項目４７に記載の方法。
（項目５０）
上記第３初期ＭＶは、上記第１初期ＭＶを含み、上記第４初期ＭＶは、上記第２初期ＭＶを含む項目４９に記載の方法。
（項目５１）
上記Ｎ個の第３初期ＭＶにおける少なくとも一部の初期ＭＶは、上記第１初期ＭＶに基づいて偏移して得られ、上記Ｍ個の第４初期ＭＶにおける少なくとも一部の初期ＭＶは、上記第２初期ＭＶに基づいて偏移して得られたものである項目４９又は５０に記載の方法。
（項目５２）
上記Ｎは、上記Ｍに等しい項目４９〜５１のいずれか一項に記載の方法。
（項目５３）
上記第１参照画像は、上記現在の画像ブロックの前方向フレームであり、上記第２参照画像は、上記現在の画像ブロックの後方向フレームであり、又は、
上記第１参照画像は、上記現在の画像ブロックの前方向フレームであり、上記第２参照画像は、上記現在の画像ブロックの前方向フレームである項目４９〜５２のいずれか一項に記載の方法。
（項目５４）
上記特定参照画像は、長期参照画像、合成フレーム、出力されないフレームのうちの少なくとも一つを含む項目３８〜５３のいずれか一項に記載の方法。
（項目５５）
上記方法は、
上記参照画像が出力されないフレームであると確定し、かつ上記参照画像が合成フレームであるとさらに確定する場合、上記参照画像を上記特定参照画像であると確定することをさらに含む項目３８〜５４のいずれか一項に記載の方法。
（項目５６）
上記非特定参照画像は、短期参照画像を含む項目３８〜５５のいずれか一項に記載の方法。
（項目５７）
画像動き補償装置であって、
コンピュータで実行可能なコマンドを記憶するための少なくとも一つのメモリと、
上記少なくとも一つのメモリにアクセスし、かつ上記コンピュータで実行可能なコマンドを実行することで、以下の操作を実施することに単独、又は共同で用いられる少なくとも一つのプロセッサと、を含み、上記操作は、
現在の画像ブロックの初期動きベクトルＭＶを取得することと、
上記初期ＭＶのスケーリング比率を確定し、ここで、上記初期ＭＶが特定参照画像を指向する場合、上記初期ＭＶのスケーリング比率は、１であることと、
上記初期ＭＶのスケーリング比率に基づいて、上記初期ＭＶをスケーリングすることと、
上記スケーリング後のＭＶに基づいて上記現在の画像ブロックに動き補償を行うことと、である装置。
（項目５８）
上記プロセッサが上記スケーリング後のＭＶに基づいて上記現在の画像ブロックに動き補償を行うことは、
上記スケーリング後のＭＶを修正し、修正後のＭＶを得ることと、
上記修正後のＭＶに基づいて、上記現在の画像ブロックに動き補償を行うことと、を含む項目５７に記載の画像動き補償装置。
（項目５９）
上記プロセッサが現在の画像ブロックの初期動きベクトルＭＶを取得することは、
上記現在の画像ブロックのＭＶ候補リストを取得することと、
上記ＭＶ候補リストに基づいて、上記初期ＭＶを確定することと、を含む項目５７又は５８に記載の画像動き補償装置。
（項目６０）
上記ＭＶ候補リストにおけるいずれかの候補ＭＶが指向する参照画像は、非特定参照画像である項目５９に記載の画像動き補償装置。
（項目６１）
上記プロセッサが上記現在の画像ブロックのＭＶ候補リストを取得することは、
上記ＭＶ候補リストに加えるための候補ＭＶを確定し、上記候補ＭＶが指向する参照画像が非特定参照画像である場合、上記候補ＭＶを上記ＭＶ候補リストに加えることを含む項目６０に記載の画像動き補償装置。
（項目６２）
上記プロセッサは、さらに、
上記候補ＭＶが指向する参照画像のフレームマークに基づいて、上記候補ＭＶが指向する参照画像が非特定参照画像であると確定するためのものである項目６１に記載の画像動き補償装置。
（項目６３）
上記ＭＶ候補リストは、
上記現在の画像ブロックが高度動きベクトル予測ＡＭＶＰモードにある場合、非特定参照画像に対して得られたオリジナルＡＭＶＰ候補ＭＶ、
非特定参照画像に対して得られたマージ候補ＭＶ、
非特定参照画像から補間により得られたＭＶ、及び
上記現在のブロックの非特定参照画像に対する上方隣接ＭＶと左側隣接ＭＶのうちの少なくとも一つの候補ＭＶを含む項目５９〜６２のいずれか一項に記載の画像動き補償装置。
（項目６４）
上記プロセッサが上記ＭＶ候補リストに基づいて、上記初期ＭＶを確定することは、
双方向マッチング法とテンプレートマッチング法とのうちの少なくとも一つに基づいて、上記ＭＶ候補リストにおける候補ＭＶに対応する歪みコストを確定することと、
上記ＭＶ候補リストにおける歪みコストが最も小さいＭＶを上記初期ＭＶとすることと、を含む項目６３に記載の画像動き補償装置。
（項目６５）
上記プロセッサが上記スケーリング後のＭＶを修正し、修正後のＭＶを得ることは、
上記現在の画像ブロックにサブＭＶ候補リストを生成し、上記サブＭＶ候補リストには上記スケーリング後のＭＶを含むことと、
上記サブＭＶ候補リストから歪みコストが最も小さいＭＶを上記修正後のＭＶとして確定することと、を含む項目６４に記載の画像動き補償装置。
（項目６６）
上記初期ＭＶは、第１初期ＭＶ、及び第２初期ＭＶを含み、上記プロセッサは、具体的に、
上記第１初期ＭＶ、及び上記第２初期ＭＶのうちの少なくとも一つの初期ＭＶが指向する参照画像が特定参照画像である場合、上記第１初期ＭＶ、及び上記第２初期ＭＶのスケーリング比率をいずれも１にセットし、上記第１初期ＭＶ、及び第２初期ＭＶに基づいて上記現在の画像ブロックに動き補償を行うことと、
上記第１初期ＭＶ、及び上記第２初期ＭＶが指向する参照画像がいずれも非特定参照画像である場合、上記第１初期ＭＶのスケーリング比率、及び上記第２初期ＭＶのスケーリング比率を確定し、上記第１初期ＭＶのスケーリング比率に基づいて、上記第１初期ＭＶをスケーリングし、上記第２初期ＭＶのスケーリング比率に基づいて、上記第２初期ＭＶをスケーリングし、上記スケーリング後の第１初期ＭＶ、及び上記スケーリング後の第２初期ＭＶに基づいて、上記現在の画像ブロックに動き補償を行うこととのうちの少なくとも一つのためのものである項目５７に記載の画像動き補償装置。
（項目６７）
上記プロセッサが上記スケーリング後の第１初期ＭＶ、及び上記スケーリング後の第２初期ＭＶに基づいて、上記現在の画像ブロックに動き補償を行うことは、
第１参照画像ブロック、及び第２参照画像ブロックに基づいて、テンプレートを生成し、ここで、上記第１参照画像ブロックは上記スケーリング後の第１初期ＭＶに対応し、かつ第２参照画像に属し、上記第２参照画像ブロックは上記スケーリング後の第２初期ＭＶに対応し、かつ第１参照画像に属し、上記第１参照画像は、上記第１初期ＭＶが指向する参照画像であり、上記第２参照画像は、上記第２初期ＭＶが指向する参照画像であることと、
上記テンプレートに基づいて、上記第１初期ＭＶ、及び上記第２初期ＭＶを修正し、上記修正後の第１ＭＶ、及び上記修正後の第２ＭＶを得ることと、を含む項目６６に記載の画像動き補償装置。
（項目６８）
上記プロセッサが上記テンプレートに基づいて、上記第１初期ＭＶ、及び上記第２初期ＭＶを修正し、上記修正後の第１ＭＶ、及び上記修正後の第２ＭＶを得ることは、
Ｎ個の第３参照画像ブロックを利用して、それぞれ上記テンプレートとマッチングし、ここで、上記Ｎ個の第３参照画像ブロックは、Ｎ個の第３初期ＭＶに対応し、かつ上記第１参照画像に属することと、
Ｍ個の第４参照画像ブロックを利用して、それぞれ上記テンプレートとマッチングし、ここで、上記Ｍ個の第４参照画像ブロックは、Ｍ個の第４初期ＭＶに対応し、かつ上記第２参照画像に属することと、
上記マッチング結果に基づいて、上記Ｎ個の第３初期ＭＶから一つの第３初期ＭＶを選択し、及び上記Ｍ個の第４初期ＭＶから一つの第４初期ＭＶを選択し、上記一つの第３初期ＭＶ、及び上記一つの第４初期ＭＶを上記現在の画像ブロックのＭＶとし、又は上記現在の画像ブロックのＭＶを確定することに用いることと、を含む項目６６に記載の画像動き補償装置。
（項目６９）
上記第３初期ＭＶは、上記第１初期ＭＶを含み、上記第４初期ＭＶは、上記第２初期ＭＶを含む項目６８に記載の画像動き補償装置。
（項目７０）
上記Ｎ個の第３初期ＭＶにおける少なくとも一部の初期ＭＶは、上記第１初期ＭＶに基づいて偏移して得られ、上記Ｍ個の第４初期ＭＶにおける少なくとも一部の初期ＭＶは、上記第２初期ＭＶに基づいて偏移して得られたものである項目６８又は６９に記載の画像動き補償装置。
（項目７１）
上記Ｎは、上記Ｍに等しい項目６８〜７０のいずれか一項に記載の画像動き補償装置。
（項目７２）
上記第１参照画像は、上記現在の画像ブロックの前方向フレームであり、上記第２参照画像は、上記現在の画像ブロックの後方向フレームであり、又は、
上記第１参照画像は、上記現在の画像ブロックの前方向フレームであり、上記第２参照画像は、上記現在の画像ブロックの前方向フレームである項目６８〜７１のいずれか一項に記載の画像動き補償のため装置。
（項目７３）
上記特定参照画像は、長期参照画像、合成フレーム、出力されないフレームのうちの少なくとも一つを含む項目５７〜７２のいずれか一項に記載の画像動き補償装置。
（項目７４）
上記プロセッサは、さらに、
上記参照画像が出力されないフレームであると確定し、かつ上記参照画像が合成フレームであるとさらに確定する場合、上記参照画像を上記特定参照画像であると確定するためのものである項目５７〜７３のいずれか一項に記載の画像動き補償装置。
（項目７５）
上記非特定参照画像は、短期参照画像を含む項目５７〜７４のいずれか一項に記載の画像動き補償装置。
（項目７６）
コンピュータで読み取り可能な記憶媒体であって、
これにはコマンドが記憶され、コマンドがコンピュータで運用される場合、コンピュータに項目３８〜５６のいずれか一項に記載の画像動き補償方法を実行させるコンピュータで読み取り可能な記憶媒体。
（項目７７）
項目５７〜７５のいずれか一項に記載の画像動き補償装置を含む符号化デバイス。
（項目７８）
項目５７〜７５のいずれか一項に記載の画像動き補償装置を含む復号化デバイス。
（項目７９）
画像処理方法であって、
第１初期動きベクトルＭＶ、及び第２初期ＭＶを取得し、上記第１初期ＭＶは、第１参照画像を指向し、上記第２初期ＭＶは、第２参照画像を指向することと、
上記第１参照画像、及び上記第２参照画像のうちの少なくとも一つが特定参照画像である場合、上記第１初期ＭＶ、及び上記第２初期ＭＶに基づいて、現在の画像ブロックの予測画像ブロックを計算して得ることと、
上記第１参照画像、及び上記第２参照画像がいずれも非特定参照画像である場合、上記第１初期ＭＶ、及び上記第２初期ＭＶが指向する画素点の勾配値に基づいて、現在の画像ブロックのＭＶを計算して得て、上記現在の画像ブロックのＭＶに基づいて、現在の画像ブロックの予測画像ブロックを計算して得ることと、を含む方法。
（項目８０）
上記第１初期ＭＶ、及び上記第２初期ＭＶが指向する画素点の勾配値に基づいて、現在の画像ブロックのＭＶを計算して得ることは、
上記第１初期ＭＶ、及び上記第２初期ＭＶが指向する画素点の勾配値、及び最適化原理に基づいて、上記現在の画像ブロックのＭＶを計算して得ることを含む項目７９に記載の方法。
（項目８１）
上記第１初期ＭＶ、及び上記第２初期ＭＶに基づいて、現在の画像ブロックの予測画像ブロックを計算して得ることは、
上記第１初期ＭＶが指向する第１参照画像ブロック、及び上記第２初期ＭＶが指向する第２参照画像ブロックを加重合計し、上記現在の画像ブロックの予測画像ブロックを得ることを含む７９又は８０に記載の方法。
（項目８２）
上記第１初期ＭＶ、及び上記第２初期ＭＶの予測方向は異なる項目７９〜８１のいずれか一項に記載の方法。
（項目８３）
上記第１初期ＭＶ、及び上記第２初期ＭＶの予測方向は同じであり、上記第１初期ＭＶ、及び上記第２初期ＭＶはいずれも０でなく、上記第１参照画像、及び上記第２参照画像は異なる項目７９〜８２のいずれか一項に記載の方法。
（項目８４）
上記現在の画像ブロックのＭＶに基づいて、現在の画像ブロックの予測画像ブロックを計算して得ることは、
上記現在の画像ブロックのＭＶ、上記第１初期ＭＶが指向する第１参照画像ブロック、及び上記第２初期ＭＶが指向する第２参照画像ブロックに基づいて、上記現在の画像ブロックの予測画像ブロックを計算して得ることを含む項目７９〜８３のいずれか一項に記載の方法。
（項目８５）
上記特定参照画像は、長期参照画像、合成フレーム、出力されないフレームのうちの少なくとも一つを含む項目７９〜８４のいずれか一項に記載の方法。
（項目８６）
上記方法は、
上記第１参照画像と上記第２参照画像とのうちの少なくとも一つが出力されないフレームであると確定し、かつ上記第１参照画像と上記第２参照画像とのうちの少なくとも一つが合成フレームであるとさらに確定する場合、上記第１参照画像と上記第２参照画像とのうちの少なくとも一つを上記特定参照画像であると確定することをさらに含む項目７９〜８５のいずれか一項に記載の方法。
（項目８７）
上記非特定参照画像は、短期参照画像を含む項目７９〜８６のいずれか一項に記載の方法。
（項目８８）
画像処理装置であって、
コンピュータで実行可能なコマンドを記憶するための少なくとも一つのメモリと、
上記少なくとも一つのメモリにアクセスし、かつ上記コンピュータで実行可能なコマンドを実行することで、以下の操作を実施することに単独、又は共同で用いられる少なくとも一つのプロセッサと、を含み、上記操作は、
第１初期動きベクトルＭＶ、及び第２初期ＭＶを取得し、上記第１初期ＭＶは、第１参照画像を指向し、上記第２初期ＭＶは、第２参照画像を指向することと、
上記第１参照画像、及び上記第２参照画像のうちの少なくとも一つが特定参照画像である場合、上記第１初期ＭＶ、及び上記第２初期ＭＶに基づいて、現在の画像ブロックの予測画像ブロックを計算して得ることと、
上記第１参照画像、及び上記第２参照画像がいずれも非特定参照画像である場合、上記第１初期ＭＶ、及び上記第２初期ＭＶが指向する画素点の勾配値に基づいて、現在の画像ブロックのＭＶを計算して得て、上記現在の画像ブロックのＭＶに基づいて、現在の画像ブロックの予測画像ブロックを計算して得ることと、である装置。
（項目８９）
上記プロセッサは、具体的に、
上記第１初期ＭＶ、及び上記第２初期ＭＶが指向する画素点の勾配値、及び最適化原理に基づいて、上記現在の画像ブロックのＭＶを計算して得るためのものである項目８８に記載の装置。
（項目９０）
上記プロセッサは、具体的に、
上記第１初期ＭＶが指向する第１参照画像ブロック、及び上記第２初期ＭＶが指向する第２参照画像ブロックを加重合計し、上記現在の画像ブロックの予測画像ブロックを得るためのものである８８又は８９に記載の装置。
（項目９１）
上記第１初期ＭＶ、及び上記第２初期ＭＶの予測方向は異なる項目８８〜９０のいずれか一項に記載の装置。
（項目９２）
上記第１初期ＭＶ、及び上記第２初期ＭＶの予測方向は同じであり、上記第１初期ＭＶ、及び上記第２初期ＭＶはいずれも０でなく、上記第１参照画像、及び上記第２参照画像は異なる項目８８〜９１のいずれか一項に記載の装置。
（項目９３）
上記プロセッサは、具体的に、
上記現在の画像ブロックのＭＶ、上記第１初期ＭＶが指向する第１参照画像ブロック、及び上記第２初期ＭＶが指向する第２参照画像ブロックに基づいて、上記現在の画像ブロックの予測画像ブロックを計算して得るためのものである項目８８〜９２のいずれか一項に記載の装置。
（項目９４）
上記特定参照画像は、長期参照画像、合成フレーム、出力されないフレームのうちの少なくとも一つを含む項目８８〜９３のいずれか一項に記載の装置。
（項目９５）
上記プロセッサは、さらに、
上記第１参照画像と上記第２参照画像とのうちの少なくとも一つが出力されないフレームであると確定し、かつ上記第１参照画像と上記第２参照画像とのうちの少なくとも一つが合成フレームであるとさらに確定する場合、上記第１参照画像と上記第２参照画像とのうちの少なくとも一つを上記特定参照画像であると確定するためのものである項目８８〜９４のいずれか一項に記載の装置。
（項目９６）
上記非特定参照画像は、短期参照画像を含む項目８８〜９５のいずれか一項に記載の装置。
（項目９７）
コンピュータで読み取り可能な記憶媒体であって、
これにはコマンドが記憶され、コマンドがコンピュータで運用される場合、コンピュータに項目７９〜８７のいずれか一項に記載の画像処理方法を実行させるコンピュータで読み取り可能な記憶媒体。
（項目９８）
項目８８〜９６のいずれか一項に記載の画像処理装置を含む符号化デバイス。
（項目９９）
項目８８〜９６のいずれか一項に記載の画像処理装置を含む復号化デバイス。